(57)【要約】【課題】  作業者が上送り台を持ち上げるのに大きな力を必要としないミシンの上送り台上下駆動機構を提供する。【解決手段】  上送り台４の上下駆動機構７は上送り台４を上下に案内するガイド４５と、一端に揺動部材４０を固着する上送り上下軸３９と、ガイド４５と上送り上下軸３９を連結するリンク４１を備えている。リンク４１は、一端が揺動部材４０に回動可能に連結され、他端がガイド４５に回動可能に連結されている。揺動部材４０にはリンク４１の他端の下部と接触および離間可能な作用片４０ａが形成されている。【選択図】図５
2014188144.tif 000002
【特許請求の範囲】
【請求項１】
先端に上送り歯が取り付けられている上送り台と、
前記上送り台を上下に案内するガイドと、を備え、
前記ガイドに連結され、主軸に連動し上送り上下軸が回動することで上送り台を上下に駆動させるミシンの上送り台上下駆動機構において、
前記上送り上下軸の一端に固着され前記上送り上下軸に連動して揺動する揺動部材と、
一端を中心に他端が上下動可能なリンクと、
前記リンクの他端の下部と接触および離間可能に配置されるよう前記揺動部材に形成される作用片と、
前記ガイドを上方から押圧する押えバネと、を備え、
前記ガイドが前記リンクの他端に回動可能に連結されていることを特徴とするミシンの上送り台上下駆動機構。
【請求項２】
前記リンクの一端が前記揺動部材に回動可能に連結されている、
請求項１記載のミシンの上送り台上下駆動機構。
【請求項３】
前記上送り台を持ち上げる上送り台上げ機構を備える、
請求項１または請求項２記載のミシンの上送り台上下駆動機構。
【請求項４】
前記上送り台上げ機構は、
操作レバーと、
前記操作レバーに連動し上送り台を持ち上げる上げレバーと、を備える、
請求項３記載のミシンの上送り台上下駆動機構。
【発明の詳細な説明】
【技術分野】
【０００１】
本発明は、ミシンの上送り機構に関するもので、詳しくは上送り歯を取着した上送り台の上下駆動機構に関する。
本発明において、前後とは生地送り方向における前後方向をいい、左右とはミシンを正面から見たときの左右方向をいう。また、上下とはミシンの上下方向をいう。
【背景技術】
【０００２】
従来、ミシンには上送り台を上下動させるための上下駆動機構が備えられたものがある（特許文献１参照）。図８は従来のミシンの上送り台上下駆動機構を示す斜視図である。図８に示すように、この従来技術によれば、上送り上下軸９１の一端にはクラッチ機構９２が設けられ、上送り上下軸９１の他端にはクランク９３が固着し、該クランク９３にはガイド９５が回動可能に連結されている。ガイド９５はガイド溝９５ａを備えており、ガイド溝９５ａに上送り台９４をスライド可能に嵌合している。以上の構成により、この上下駆動機構は、主軸の回転に伴いクラッチ機構９２を介して上送り上下軸９１およびクランク９３が一体となって回動し、この回動に連動してガイド９５が上下運動することで上送り台９４と上送り台９４の先端に取着した上送り歯９６を上下動させる。
【先行技術文献】
【特許文献】
【０００３】
【特許文献１】特許２８４６４８７号公報（第３頁、第１図・第３図）
【発明の概要】
【発明が解決しようとする課題】
【０００４】
しかしながら、従来技術における上送り台の上下駆動機構は、作業者が上送り台９４を持ち上げる場合、上送り台９４、ガイド９５、クランク９３、上送り上下軸９１およびクラッチ機構９２が連動することになる。つまり、作業者が上送り台を持ち上げると多くの部品が同調して動くので、作業者は上送り台を持ち上げるのに大きな力を必要とした。
【０００５】
そこで本発明は、上記のような問題を解決するためになされたもので、作業者が上送り台を持ち上げるのに大きな力を必要としないミシンの上送り台上下駆動機構を提供することを目的とする。
【課題を解決するための手段】
【０００６】
本発明のミシンの上送り台上下駆動機構は、請求項１に記載のように、その発明の内容を理解しやすくするために図１〜図７に付した符号を参照して説明すると、
先端に上送り歯５が取り付けられている上送り台４と、
前記上送り台４を上下に案内するガイド４５と、を備え、
前記ガイド４５に連結され、主軸９に連動し上送り上下軸３９が回動することで上送り台４を上下に駆動させるミシンの上送り台上下駆動機構７において、
前記上送り上下軸３９の一端に固着され前記上送り上下軸３９に連動して揺動する揺動部材４０と、
一端を中心に他端が上下動可能なリンク４１と、
前記リンク４１の他端の下部と接触および離間可能に配置されるよう前記揺動部材４０に形成される作用片４０ａと、
前記ガイド４５を上方から押圧する押えバネ５３と、を備え、
前記ガイド４５が前記リンク４１の他端に回動可能に連結されていることを特徴とするものである。
これによると、上送り台４が持ち上げられる際に同調して動く部品が、上送り台４、ガイド４５およびリンク４１のみと、従来技術における上送り台の上下駆動機構と比べ、はるかに少なくて済む。したがって、作業者は大きな力を必要とせずに上送り台４を持ち上げることができる。
【０００７】
請求項１記載のミシンの上送り台上下駆動機構は、請求項２に記載のように、
前記リンク４１の一端が前記揺動部材４０に回動可能に連結されているという構成を採用することができる。
これによると、リンク４０の一端が揺動部材４０以外の例えばフレーム等に連結されているものと比較し、省スペース化を図ることができる。
【０００８】
請求項１または請求項２記載のミシンの上送り台上下駆動機構は、請求項３に記載のように、
前記上送り台４を持ち上げる上送り台上げ機構７０を備えるという構成を採用することができる。
これによると、作業者は上送り台上げ機構７０を利用して上送り台４を持ち上げることができる。
【０００９】
請求項３記載のミシンの上送り台上下駆動機構は、請求項４に記載のように、
操作レバー８８と、
前記操作レバー８８に連動し上送り台４を持ち上げる上げレバー７２と、を備えるという構成を採用することができる。
これによると、作業者は操作レバー８８の操作により上げレバー７２で上送り台４を持ち上げることができる。
【発明の効果】
【００１０】
本発明のミシンの上送り台上下駆動機構によれば、作業者が上送り台を持ち上げても同調して動く部品が少ないので、作業者は大きな力を必要とせずに上送り台を持ち上げることができる。
【図面の簡単な説明】
【００１１】
【図１】本発明に係るオーバーロックミシンの左側面図である。
【図２】本発明に係る上送り台の前後駆動機構および上下駆動機構を示す斜視図である。
【図３】本発明に係る上送り台の前後駆動機構および上下駆動機構を右側から示した要部断面図である。
【図４】図２に示す前後駆動機構および上下駆動機構の要部を示す分解斜視図である。
【図５】図１に示すオーバーロックミシンを一部の部材を省略して左側から示した要部断面図である。
【図６】図５における要部の拡大図である。
【図７】図１に示すオーバーロックミシンの上送り台上げ機構を示した要部断面図である。
【図８】従来の上送り台の前後駆動機構および上下駆動機構を示す斜視図である。
【発明を実施するための形態】
【００１２】
以下、本発明に係るオーバーロックミシンの好適な実施形態について図面を参照して説明する。
【００１３】
図１に示すように、オーバーロックミシン１のヘッド部２下方には上送り台室３が設けられている。上送り台室３内には上送り台４が前後に延びて配置され、上送り台４の一端は上送り台室３の前面から突出しその先端に上送り歯５が取着されている。図２に示すように、上送り台４には上送り台４を前後に駆動させる前後駆動機構６と上送り台４を上下に駆動させる上下駆動機構７が連結されている。
【００１４】
まず、前後駆動機構６について説明する。図３に示すように、オーバーロックミシン１のフレーム８の内部には、軸心回りに回転する主軸９が配置され、主軸９に設けられる偏心部にロッド１１の一端が嵌合されている。ロッド１１の他端にはクランク１２の連結部が連結され、クランク１２の基部は揺動軸１３に固定されている。揺動軸１３はフレーム８に回動自在に軸支されている。主軸９の回転によって、ロッド１１、クランク１２および揺動軸１３は揺動するようになっている。調節クランク１４はその基部が揺動軸１３に固定されており、また、該基部より後方に延びる円弧状の腕部１４ａを有している。腕部１４ａは右側が開口したコの字形の調節溝１４ｂを有している。
【００１５】
調節溝１４ｂには図示しない角駒が挿嵌されており、角駒と連結リンク１６の一端とがピン１７を介して連結されている。角駒は調節溝１４ｂ内をスライド可能とされている。連結リンク１６の他端にはクランク１８の連結部が連結され、クランク１８の基部は上送り前後軸１９の一端に固定されている。揺動軸１３の揺動によって調節クランク１４が揺動軸１３の軸回りに揺動すると、調節クランク１４の揺動は角駒、連結リンク１６およびクランク１８を介して上送り前後軸１９に伝えられ、上送り前後軸１９は軸回りに揺動する。また、上送り前後軸１９の他端には前後送り用クランク２０の一端が固着され、前後送り用クランク２０の他端には上送り台４の基端が連結されている。なお、上送り前後軸１９と前後送り用クランク２０は一体的に形成されていても良い。上送り台４の基端はカラー２１、座金２２およびネジ２３により、前後送り用クランク２０の他端に回動可能に連結されている。そして、上送り前後軸１９が軸回りに揺動すると、前後送り用クランク２０の他端が前後に揺動し、上送り台４および上送り台４の先端に取着された上送り歯５が前後に揺動する。
【００１６】
次に、上下駆動機構７について説明する。図２および図３に示すように、フレーム８に軸回りの回動自在に軸支されている上メス軸３１はロッド３２およびクランク３３を介して主軸９と連結され、主軸９の一方向の回転に伴い軸回りに揺動するようになっている。上メス軸３１の一端には、図示しない上メスを取り付ける上メス台３１ａが固定されている。図３に示すように、調節クランク３４はその基部が上メス軸３１に固定されており、また該基部より上方に延びる円弧状の腕部３４ａを有している。腕部３４ａは右側が開口したコの字形の調節溝３４ｂを有している。
【００１７】
調節溝３４ｂには図示しない角駒が挿嵌されており、角駒と連結リンク３６の一端とがピン３７を介して連結されている。角駒は調節溝３４ｂ内をスライド可能とされている。連結リンク３６の他端にはクランク３８の連結部が連結され、クランク３８の基部は上送り上下軸３９の一端に固定されている。上メス軸３１の揺動によって調節クランク３４が上メス軸３１の軸回りに揺動すると、調節クランク３４の揺動は角駒、連結リンク３６およびクランク３８を介して上送り上下軸３９に伝えられ、上送り上下軸３９は軸回りに揺動する。
【００１８】
図５は要部断面図で、後述するガイド部材６３、ネジ６４および上げレバー７２のアーム部７２ａを省略した図である。上送り上下軸３９の他端には揺動部材４０の基部が固着されている。なお、上送り上下軸３９と揺動部材４０は一体的に形成されていても良い。揺動部材４０はその基部から下方に延び、揺動部材４０の下端部には水平に延びる作用片４０ａが形成されている。揺動部材４０の基部にはリンク４１の一端がカラー４２、座金４３およびネジ４４により連結されている。上送り上下軸３９とカラー４２の軸線は同一線上に位置するようにされており、リンク４１はカラー４２の軸周りに回動可能となっている。リンク４１の他端にはガイド４５が、座金４６およびネジ４７により回動可能に連結されている。つまり、リンク４１は揺動部材４０に連結された一端を中心として、ガイド４５に連結された他端が上下動可能となっている。なお、リンク４１の一端は揺動部材４０以外、例えばフレーム８に連結されても良いが、本実施例のように揺動部材４０に連結させると、フレーム８の構造を簡素にでき、また上下駆動機構７をコンパクトに納めることができる。リンク４１の他端の下部には上下に延びる接触部４１ａが形成されている。揺動部材４０の作用片４０ａと接触部４１ａは一部が接触および離間可能に配置されている。作用片４０ａの上面とリンク４１との間には隙間が形成されている。ガイド４５は左側が開口したコの字形のガイド溝４５ａを有している。ガイド溝４５ａには上送り台４が前後にスライド可能に嵌挿されており、ガイド４５は送り台４の上下動および前後動を案内する。
【００１９】
上送り上下軸３９が軸回りに揺動すると、揺動部材４０の作用片４０ａが揺動する。ガイド４５の上昇は、図６に示すように作用片４０ａが接触部４１ａに接触する方向（以下、接触方向とする）Ｘに揺動し、作用片４０ａが接触部４１ａに接触している状態で、揺動部材４０がリンク４１の他端を持ち上げることでなされる。ところで、図５に示すように、調節ナット５２には調節ネジ５１が嵌合していて、調節ネジ５１の下端が押えバネ５３を押圧している。押えバネ５３はその弾性力により押え棒５４を押圧し、押え棒５４の下端はガイド４５の上面を押圧する。これにより、図６に示すように作用片４０ａが接触部４１ａから離間する方向（以下、離間方向とする）Ｙに揺動する時でも作用片４０ａは接触部４１ａから離間しない。つまり、接触部４１ａは作用片４０ａに追随するので、作用片４０ａと接触部４１ａの接触状態が保持される。押え棒５４がガイド４５を押圧する力は、調節ナット５２を緩め、調節ネジ５１を回すことにより調節できる。以上より、上送り上下軸３９の揺動に伴う作用片４０ａの接触方向Ｘへの揺動により、リンク４１の他端が持ち上げられてガイド４５が上昇する。また、上送り上下軸３９の揺動に伴う作用片４０ａの離間方向Ｙへの揺動に加えて、押え棒５４がガイド４５を押圧することでガイド４５がリンク４１の他端と共に下降する。以上説明したように、揺動部材４０の揺動およびその揺動によるリンク４１他端の上下動に伴い、上送り台４はガイド４５を介して上下動することになる。上述した前後駆動機構６による上送り台４の前後動と上下駆動機構７による上送り台４の上下動との合成により、上送り台４および上送り台４に取着された上送り歯５は生地送り方向Ｆに沿った垂直面内を楕円運動する。
【００２０】
図４に示す符号６３はガイド部材６３であり、ネジ６４でフレーム８に固定されている。ガイド部材６３はガイド４５の上下動を案内する。符号６１および符号６２は上送り台ガイド（右）６１および上送り台ガイド（左）６２であり、上送り台４の前後動および上下動を案内する。上送り台ガイド（右）６１および上送り台ガイド（左）６２の前面には溝が設けられており、該溝には油切り６５が嵌められ、油切り６５には上送り台４が嵌挿されている。そして、油切りガイド６６がネジ６７，６８で上送り台ガイド（右）６１に固定されている。
【００２１】
次に、上送り台上げ機構７０について説明する。図７は上送り台上げ機構７０を示した要部断面図である。図７に示すように、筒軸７１の軸端には上げレバー７２の基部が固着されている。なお、筒軸７１と上げレバー７２は一体的に形成されていても良い。上げレバー７２は、その基部から手前に延びてアーム部７２ａが形成され、アーム部７２ａは上送り台室３を後方から貫通して、上送り台室３内に配置されている。アーム部７２ａには油切り７３が嵌められ、上送り台室３は密閉されている。アーム部７２ａの先端はガイド４５のガイド溝４５ａ上面に係合可能に配置されている。また、上げレバー７２の基部から上方に延びてレバー部７２ｂが形成され、図７に示すように、レバー部７２ｂにバネ７４が作用することにより上げレバー７２が筒軸７１と共に時計方向に付勢され、ストッパー７５で止められるようにしてある。レバー部７２ｂの先端はフレーム８の外部で、作動軸７６の一端に固定された爪レバー７７の爪部７７ａと係合可能に配置されている。作動軸７６は、他端がフレーム８を貫通しヘッド部２の内部まで延びて、回動可能に配置されている。ヘッド部２の内部で作動軸７６の他端にクランク７８の基部が固定されている。クランク７８の連結部はリンク７９の一端に連結され、リンク７９の他端には爪レバー８０の連結部が連結されている。爪レバー８０には爪部８０ａが形成され、爪部８０ａは筒体８１に形成されるスリット８２の近傍に配置されている。筒体８１はフレーム８に支持され、筒体８１内にコイルバネ８３と押え棒８４が配置されている。押え棒８４は先端がフレーム８の外部に突出しており、図１に示すように、コイルバネ８３の弾性力により押え台８５を押圧する。押え台８５の先端には図示しない押えが取り付けられる。押え棒８４にはヘッド部２の内部における中途に係合部８４ａが形成されている。係合部８４ａは、押え棒８４からスリット８２を通じて後方へ延び、爪レバー８０の爪部８０ａの上方に配置されている。押え棒８４が押え台８５を押圧する力は、調節ナット８６を緩め、調節ネジ８７を回すことにより調節できる。
【００２２】
上送り台上げ機構７０は、図１に示すように、ヘッド部２の外部のフレーム８に操作レバー８８を備えている。操作レバー８８の自由端は基端から上方へ延びて形成されている。操作レバー８８の基端にはピン８８ａが形成され、ピン８８ａはフレーム８を貫通しヘッド部２内に配置されている。図７に示すように、ピン８８ａには爪レバー８０の基部が固定されている。操作レバー８８の自由端を後方へ押下げることにより、爪レバー８０がピン８８ａを中心に図７における反時計回りに回動し、爪部８０ａが押え棒８４の係合部８４ａに係合して押え棒８４を持ち上げ、押え台８５への押えを解除するようになっている。また、爪レバー８０がピン８８ａを中心に図７における反時計回りに回動することで、リンク７９、クランク７８および作動軸７６が揺動し、爪レバー７７が作動軸７６を中心に図７における時計回りに回動する。そして、爪レバー７７の爪部７７ａが上げレバー７２のレバー部７２ｂ先端に係合して上げレバー７２が筒軸７１を中心に図６における反時計回りに回動することで、上げレバー７２のアーム部７２ａ先端がガイド４５のガイド溝４５ａ上面に係合してガイド４５および上送り台４を持ち上げるようになっている。したがって、操作レバー８８の回動操作により、押え台８５への押えが解除されると共に上送り歯５が上昇することになる。例えば、上送り台上げ機構７０により、作業者が上送り台４を持ち上げる場合、上下駆動機構７で連動するのは、上送り台４、ガイド４５およびリンク４１のみなので、作業者は大きな力を必要とせずに上送り台４を持ち上げることができる。
【００２３】
本発明は以上説明した実施例に限定されるものではなく、当業者であれば、本発明の趣旨を逸脱しない範囲で、前記実施例に種々の変更を付加して実施することができ、本発明はそれらの変更形態をも包含するものである。
【符号の説明】
【００２４】
４                上送り台
５                上送り歯
７                上下駆動機構
９                主軸
３９              上送り上下軸
４０              揺動部材
４０ａ            作用片
４１              リンク
４５              ガイド
５３              押えバネ
７０              上送り台上げ機構
７２              上げレバー
８８              操作レバー
【図１】
2014188144.tif 000003
【図２】
2014188144.tif 000004
【図３】
2014188144.tif 000005
【図４】
2014188144.tif 000006
【図５】
2014188144.tif 000007
【図６】
2014188144.tif 000008
【図７】
2014188144.tif 000009
【図８】
2014188144.tif 000010